(57)【特許請求の範囲】
【請求項１】
ヘッダー部を繰り返しｎ回伝送した後、データを含むパケットで構成された情報部を伝送する構成である電文を受信する受信装置であって、複数のチャンネルをスキャンするチャンネルスキャン手段と、前記ヘッダー部を検出するヘッダー部検出手段と、前記情報部を検出する情報部検出手段と、前記ヘッダー部検出手段で自局宛の電文Ａであると検出したときには前記チャンネルスキャン手段を起動し別のチャンネルで自局宛のヘッダー部を有する電文Ｂがあるかどうかをチェックし前記電文Ｂがない場合には前記電文Ａを検出したチャンネルに戻り前記情報部検出手段を起動する制御手段とで構成された受信装置。
【請求項２】
制御手段は、ヘッダー部検出手段で自局宛の電文Ａであると検出したときには前記チャンネルスキャン手段を起動し別のチャンネルで自局宛のヘッダー部を有する電文Ｂがあるかどうかをチェックし、電文Ｂを検出した時には、あらかじめ指定された電文種類であるかどうかを検出し、前記あらかじめ指定された電文種類であれば電文Ａの受信を中断し電文Ｂの受信を継続する構成とした請求項１記載の受信装置。
【請求項３】
制御手段は、所定時間の間に情報部検出手段で情報部を検出しない時にはチャンネルスキャン手段を起動するように構成した請求項１記載の受信装置。
【請求項４】
電文Ａはガスや電気などの検針値データを含む電文であり、電文Ｂはガス漏れ警報等のセキュリティ情報を含む電文であることを特徴とした請求項１或いは請求項２或いは請求項３記載の受信装置。
【請求項５】
電文Ａ或いは電文Ｂに含まれる検針値データあるいはセキュリティデータを受信すると、前記検針値データあるいはセキュリティデータを通信回線に送出する通信回線インターフェース手段を有する請求項４記載の受信装置。
【請求項６】
電文Ａ或いは電文Ｂに含まれる検針値データあるいはセキュリティデータを受信すると、前記検針値データあるいはセキュリティデータを表示或いは警報を発する報知手段を有する請求項４記載の受信装置。
【発明の詳細な説明】
【０００１】
【発明の属する技術分野】
本発明はガスや電気などの検針値を通信回線を用いて自動収集する自動検針システムとＣＯセンサーや火災センサー等の情報を報知するセキュリティシステムの二つの機能を有する受信装置に関するものである。
【０００２】
【従来の技術】
従来この種の自動検針システムに用いられる受信装置を図５に示す。図５において１はアンテナ、２は無線受信手段、３はチャンネルスキャン手段、４はヘッダー部検出手段、５は情報部検出手段、６は通信回線Ｉ／Ｆ手段である。図６はアンテナ１で受信する受信信号と図５に示す受信装置の動作の関係を示す動作図である。図６において（１）はチャンネルスキャン手段３でのチャンネルスキャン動作を示す図、（２）はアンテナ１に入力する信号を示す図である。
【０００３】
図５及び図６を参照しながら従来の受信装置の動作について説明する。受信装置はチャンネルスキャン手段３の働きにより図６（１）に示すようにチャンネルを順次スキャンしている。ここでスキャンするチャンネルは自動検針用に用いる４２９MHz帯のテレメータ・テレコントロール用途の特定小電力無線の２チャンネルとセキュリティ用に用いる４２６MHz帯の無線セキュリティ電波の３チャンネルの計５チャンネルである。自動検針用に用いるチャンネルを以下自検用ｃｈ、セキュリティ用に用いるチャンネルを以下セキュリティ用ｃｈと呼ぶことにする。
【０００４】
自検用ｃｈはａ、ｂの２チャンネル、セキュリティ用ｃｈはｃ、ｄ、ｅの３チャンネルである。そしてチャンネルスキャン手段３は図６（１）に示すごとくチャンネルａ→ｂ→ｃ→ｄ→ｅ→ａ→ｂ…・と順次スキャンしている。そして図５（２）に示すごとくアンテナ１に入力したチャンネルａの信号を検出するとチャンネルスキャン手段３はチャンネルスキャンを停止する。チャンネルａの信号は自動検針データであり、図６（２）に示すように同一のヘッダーをｎ回繰り返した後、情報部が伝送されるという構成である。図６（２）の例では情報部も３回繰り返している。ヘッダー部はビット同期信号、フレーム同期信号、相手先を識別するための識別コード（以下ＩＤと呼ぶ）から構成されている。
【０００５】
そしてヘッダー部検出手段４でＩＤを識別して自局宛の信号であることを検出すると情報部検出手段５を起動する。情報部検出手段５では繰り返されるヘッダー部に続いて伝送される情報部を検出し情報を取り出す。取り出された情報は通信回線Ｉ／Ｆ手段６を介して通信回線に送出され、図示していないがセンター装置に送られ管理される。チャンネルスキャン手段３は情報部検出手段５で情報部を検出し終わるまでチャンネルａの受信を保持している。
【０００６】
【発明が解決しようとする課題】
しかしながら上記従来の受信装置は、以下に示す課題を有していた。
【０００７】
ガスメータに接続される自動検針用の無線装置は１０年間電池で動きつづけなければならない。そこで自動検針用の無線装置は、消費電力を減らすため２０秒毎に短い時間だけ置きあがり、自局宛の電波があるかどうかをチェックし、電波が無ければ低消費電力のスリープモードに移行する間欠受信動作方式を採用している。そして送信側は受信側の上記間欠動作に対応して間欠動作周期より長いヘッダー部の繰り返しを行う信号を送出する。つまり間欠受信周期が２０秒であれば自動検針データ長は２０秒以上となり、受信機側は約２０秒間自動検針データを受信続けることになる。そのため前記自動検針データを受信中にセキュリティ電波が他から送信されても受信装置はセキュリティ電波を受信できない、すなわちセキュリティ電波は一般に緊急性の高い電波であり最優先に受信したい電波であるにも関わらず受信できないという課題があった。
【０００８】
【課題を解決するための手段】
本発明は上記課題を解決するもので、ヘッダー部を繰り返しｎ回伝送した後、データを含むパケットで構成された情報部を伝送する構成である電文を受信する受信装置であって、複数のチャンネルをスキャンするチャンネルスキャン手段と、前記ヘッダー部を検出するヘッダー部検出手段と、前記情報部を検出する情報部検出手段と、前記ヘッダー部検出手段で自局宛の電文Ａであると検出したときには前記チャンネルスキャン手段を起動し別のチャンネルで自局宛のヘッダー部を有する電文Ｂがあるかどうかをチェックし前記電文Ｂがない場合には前記電文Ａを検出したチャンネルに戻り前記情報部検出手段を起動する制御手段とで構成されたものである。
【０００９】
上記発明によれば、例えば電文Ａとして自動検針データを受信中であっても電文Ｂのセキュリティ電波を優先的に受信できる受信装置を提供できるようになる。
【００１０】
【発明の実施の形態】
本発明の請求項１にかかる受信装置は、ヘッダー部を繰り返しｎ回伝送した後、データを含むパケットで構成された情報部を伝送する構成である電文を受信する受信装置であって、複数のチャンネルをスキャンするチャンネルスキャン手段と、前記ヘッダー部を検出するヘッダー部検出手段と、前記情報部を検出する情報部検出手段と、前記ヘッダー部検出手段で自局宛の電文Ａであると検出したときには前記チャンネルスキャン手段を起動し別のチャンネルで自局宛のヘッダー部を有する電文Ｂがあるかどうかをチェックし前記電文Ｂがない場合には前記電文Ａを検出したチャンネルに戻り前記情報部検出手段を起動する制御手段とで構成されている。
【００１１】
そして、ある電波を受信中であっても別の電波の有無を検出できる受信装置を提供できるようになる。
【００１２】
本発明の請求項２にかかる受信装置の制御手段は、電文Ｂを検出した時には、あらかじめ指定された電文種類であるかどうかを検出し、前記あらかじめ指定された電文種類であれば電文Ａの受信を中断し電文Ｂの受信を継続する構成としている。
【００１３】
そして、ある電波を受信中であっても別の電波を検出し、優先的に別の電波の受信に切りかえることが出来る受信装置を提供できるようになる。
【００１４】
本発明の請求項３にかかる受信装置の制御手段は、所定時間の間に情報部検出手段で情報部を検出しない時にはチャンネルスキャン手段を起動するように構成している。
【００１５】
そして、もし受信電波が無い時には再度チャンネルスキャン状態に戻ることができるようになる。
【００１６】
本発明の請求項４にかかる受信装置で受信する電文Ａはガスや電気などの検針値データを含む電文であり、電文Ｂはガス漏れ警報等のセキュリティ情報を含む電文であることを特徴としている。
【００１７】
そして、自動検針データを受信中であってもセキュリティの電波を検出し、優先的にセキュリティ電波の受信に切りかえることが出来る受信装置を提供できるようになる。
【００１８】
本発明の請求項５にかかる受信装置で受信する電文Ａ或いは電文Ｂに含まれる検針値データあるいはセキュリティデータを受信すると、前記検針値データあるいはセキュリティデータを通信回線に送出する通信回線インターフェース手段を有している。
【００１９】
そして、検針値データやセキュリティデータをガス会社などの管理センターへ伝送することが出来るようになる。
【００２０】
本発明の請求項６にかかる受信装置で受信する電文Ａ或いは電文Ｂに含まれる検針値データあるいはセキュリティデータを受信すると、前記検針値データあるいはセキュリティデータを表示或いは警報を発する報知手段を有している。
【００２１】
そして、家庭にいる人に対して検針値を知らせたり、ＣＯ濃度が上昇している等の危険を報知することが出来るようになる。
【００２２】
【実施例】
（実施例１）
以下に、本発明の実施の形態を図面を参照して説明する。
【００２３】
図１は本発明の実施の形態を示す受信装置のブロック図である。図１で１１はアンテナ、１２は無線受信手段、１３はチャンネルスキャン手段、１４はヘッダー部検出手段、１５は情報部検出手段、１６は制御手段、１７は報知手段、１８は通信回線Ｉ／Ｆ手段である。図２は本実施例の受信装置が受信する信号の電文フォーマットを示している。図２の（Ａ）及び（Ｂ）はヘッダー部の構成を示している。図２（Ａ）は自動検針用データのヘッダー構成であり、図２（Ｂ）はセキュリティ用データのヘッダー構成である。セキュリティ用データフォーマットとしてはエコーネット規格に準拠したものである。
【００２４】
図３、図４は図１の受信装置の動作を説明するためのシーケンス図である。図３（１）はチャンネルスキャン手段１３でスキャンするチャンネルの時間的順序を示す。図３（２）はアンテナ１１で受信し、チャンネルスキャン手段１３に入力する受信データの電文フォーマットを示す。チャンネルスキャン手段１３の動作によりチャンネルａ→ｂ→ｃ→ｄ→ｅ→ａ→ｂ→…・と順次チャンネルをスキャンし、自局宛の電波があるかどうかを監視している。そして図３（２）に示す自動検針用データ信号が自検用ｃｈａでチャンネルスキャン手段１３に入力すると、所定レベル以上の信号が入力したと検知しチャンネルスキャンを停止する。
そしてヘッダー部検出手段１４でヘッダー部に含まれるビット同期信号を検出する動作を開始する。そして所定時間の間に前記ビット同期信号を検出するとフレーム同期信号及び相手局識別符号（ＩＤ）を識別する。
【００２５】
図３に示す例で説明すると、ヘッダー１の途中でｃｈａに切り替わりチャンネルスキャンが停止する。そしてヘッダー２のビット同期信号、フレーム同期信号、ＩＤを受信する。その間チャンネルはａのまま固定されている。そして自局宛の電文である場合には、次のヘッダー３の期間はセキュリティ用ｃｈであるｃ、ｄ、ｅを順次繰り返しスキャンする。そしてセキュリティ用ｃｈに信号がなければヘッダー４の頭でｃｈａに戻り情報部検出手段１５の動作により情報部かどうかを検出する。情報部でなければヘッダー４が自局宛のヘッダー部であることを確認した後、次のヘッダー５の期間は再度セキュリティ用ｃｈであるｃ、ｄ、ｅを順次繰り返しスキャンする。上記動作を繰り返す。そして情報部を検出したら情報部のデータを取り込み受信を終了し、もとのすべてのチャンネルをスキャンするモードに移行する。ここでヘッダー部の時間的長さはあらかじめ分かっているため、例えばｃｈａでヘッダー４を受信していても次のヘッダー５の頭でセキュリティ用ｃｈに移行することが出来る。
【００２６】
一方ｃｈａで情報部を検出する動作はヘッダー当たり一つ置きになる。そのためタイミングによっては情報部の頭でＣｈａにならない場合が生じる。図４がこの場合である。図３と同様、図４（１）はチャンネルスキャン手段１３でスキャンするチャンネルの時間的順序を示す。図４（２）はアンテナ１１で受信し、チャンネルスキャン手段１３に入力する受信データの電文フォーマットを示す。情報部は従来例と同様同じ情報部が３回繰り返されている。そして情報部１のタイミングではセキュリティ用ｃｈがスキャンされている。しかし次の情報部２のタイミングでｃｈａに切りかえることが出来るため、情報部２を受信することができる。
【００２７】
さてｃｈａで自動検針用データ信号のヘッダー部を検出した後、各ヘッダー一つ置きにセキュリティ用ｃｈをスキャンすることを説明した。以上の説明から明らかなように、例えばｃｈｃにセキュリティ用データ信号があれば、上記自動検針用データ信号を検出した後であっても、上記ｃｈｃに存在するセキュリティ用データ信号を検出することができる。そしてセキュリティ用データ信号を検出した場合には、セキュリティ用データ信号の受信を優先し、自動検針用データ信号の受信を中止するように制御手段１６はチャンネルスキャン手段１３を制御する。さらに制御手段１６は前記受信したセキュリティ用データ信号の受信内容に基づき、報知手段１７を起動してベルを鳴らしたりランプを点滅させたり等の動作を行い人に報知する。さらに通信回線Ｉ／Ｆ手段１８を介してガス会社等のセンター装置等に情報を発信する。
【００２８】
なお、本実施例では１例として自動検針用データ信号の長さは約２０秒、セキュリティ用データ信号の長さは１〜３秒程度で用いられる。そしてそれぞれのデータ信号のヘッダー部の繰り返し回数は前記それぞれのデータの長さに合わせた回数に設定される。また自動検針用データ信号は情報部も３回繰り返す構成であるが、セキュリティ用データ信号の情報部は繰り返さず１回だけ伝送される構成であってもよい。
【００２９】
また自動検針用データとセキュリティデータで説明したが、本発明はこれに限るものでなく異なるチャネルにで優先度の異なるデータを複数受信する可能性があるものであれば良い。例えば、異なるチャネルで異なるセキュリティデータを受信した場合、どちらのセキュリティデータを優先するかを判断することもできる。これらは受信したデータの種類毎に優先順位を設けることで可能である。
【００３０】
また、本実施例は２つの電文を受信して優先順位を設けるものに限らず、複数の電文を受信して優先順位を設けるものも含むことは言うまでもない。
【００３１】
【発明の効果】
以上説明したように本願発明の構成を用いると、自動検針データを受信中であっても優先的にセキュリティ電波を受信できる受信装置を提供できるようになる。
【図面の簡単な説明】
【図１】本発明の実施形態を示す受信装置のブロック図
【図２】受信信号の電文フォーマットを示す図
【図３】図１に示す受信装置のチャンネルスキャン動作を説明するシーケンス図
【図４】図１に示す受信装置のチャンネルスキャン動作を説明する別のシーケンス図
【図５】従来の受信装置のブロック図
【図６】従来の受信装置のチャンネルスキャン動作を説明するシーケンス図
【符号の説明】
１３  チャンネルスキャン手段
１４  ヘッダー部検出手段
１５  情報部検出手段
１６  制御手段
１７  報知手段
１８  通信回線Ｉ／Ｆ手段
【図１】
0004561026.tif 000002
【図２】
0004561026.tif 000003
【図３】
0004561026.tif 000004
【図４】
0004561026.tif 000005
【図５】
0004561026.tif 000006
【図６】
0004561026.tif 000007